【手続補正書】
【提出日】平成18年5月1日(2006.5.1)
【手続補正１】
【補正対象書類名】特許請求の範囲
【補正対象項目名】全文
【補正方法】変更
【補正の内容】
【特許請求の範囲】
【請求項１】
列及び行を含むアレイにおけるスーパー画素内に配列されている個々の画素に液体着色剤を割り当てるプロセスにおいて、前記画素のそれぞれは少なくとも１つのプロセスカラーを割り当てられ、前記スーパー画素は、基体表面上のパターン領域に適切にタイル張張りされた時に、前記パターン領域内の所望の充填カラーの外観を効果的にシミュレートし、前記方法は、
ａ．それぞれの行及び列が少なくとも２つの画素を含む、個々に着色可能な画素の行及び列を含むアレイを規定する工程、
ｂ．前記規定されたアレイを含む前記個々の画素のそれぞれに色彩を割り当て、前記割り当てられた画素の色彩は、前記アレイが、前記個々に割り当てられた画素色彩が視覚的に識別できない距離から観察される時に、前記アレイ内の所望の充填カラーを集合的に形成し、前記アレイの行に沿ってすべての側方に隣接する画素が異なる色彩に割り当てられる工程、
ｃ．前記基体表面にタイル張りされ得るスーパー画素を形成して、前記充填カラーを形成するために、隣接する関係で前記複数のアレイを形態化し、前記スーパー画素は、前記基体表面上のパターン領域内にタイル張りされた時に、前記スーパー画素内のすべての割り当てられた画素の色彩が、前記パターン領域内の前記タイル張りされたスーパー画素により規定されたすべての列に現れる工程
を具備するプロセス。
【請求項２】
前記基体は、吸収性織物基体であり、前記スーパー画素内の画素への色彩の割り当ては、その画素に対応する前記基体表面上の領域への少なくとも１つの液体着色剤の塗布を生ずる請求項１に記載のプロセス。
【請求項３】
前記着色剤は、デジタルにエンコードされたパターン形成データに応答して、複数の個々に作動する着色剤塗布器により塗布される請求項２に記載のプロセス。
【請求項４】
前記アレイの少なくとも１つの列を含むすべての画素は、同一の色彩を割り当てられ、前記同一の色彩は、プロセスカラーに対応し、前記列内において、第１の着色剤塗布器からの液体着色剤は、前記列内の第１の画素に向けられ、第２の着色剤塗布器からの液体着色剤は、前記列内の第２の画素に向けられ、前記第１の画素は、前記第２の画素に側方で隣接する請求項２に記載のプロセス。
【請求項５】
前記プロセス着色剤は、少なくとも３つの異なる着色剤塗布器により前記アレイの同一の列内の画素に塗布される請求項４に記載のプロセス。
【請求項６】
前記第１の着色剤塗布器は、第１のカラーバーを備え、前記第２の着色剤塗布器は、第２のカラーバーを備える請求項４に記載のプロセス。
【請求項７】
前記基体は、織物フロアカバーであり、前記織物フロアカバーは、ポリアミドファイバー及びウールファイバーからなる群から選ばれたファイバーを含む請求項２に記載のプロセス。
【請求項８】
前記画素に割り当てられた前記色彩は、前記基体表面上の同一の画素に塗布された少なくとも２つの液体着色剤のその場ブレンドにより形成される請求項２に記載のプロセス。
【請求項９】
前記画素に割り当てられた前記色彩は、前記基体表面上の隣接する画素に塗布された液体着色剤のその場ブレンドにより形成される請求項２に記載のプロセス。
【請求項１０】
前記画素に割り当てられた前記色彩は、前記スーパー画素内の第１及び第２の隣接する画素に塗布された液体着色剤のその場ブレンドにより形成され、前記第１の画素に塗布された液体着色剤の容積は、前記第１の画素を過飽和するに十分であり、前記第２の画素に塗布された液体着色剤の容積は、前記第２の画素を十分に飽和するに不十分である請求項９に記載のプロセス。
【請求項１１】
基体の表面に複製されるべきスーパー画素を構成するプロセスであって、前記スーパー画素は、前記基体表面にタイル張りされ得る幾何学形状を有する前記スーパー画素を集合して提供する複数の隣接する画素を含み、前記スーパー画素を構成する前記複数の隣接する画素のそれぞれは、ターゲットカラーをシミュレートするために相対的比率でディザーパレットからの色彩を割り当てられ、前記色彩は、前記スーパー画素内の隣接する画素上の同一の色彩の割り当てを妨げる配置アルゴリズムに従って、前記スーパー画素内において個々に割り当てられるプロセス。
【請求項１２】
前記基体は、吸収性織物基体であり、前記スーパー画素内の画素への色彩の割り当ては、その画素に対応する前記基体表面上の領域への少なくとも１つの液体着色剤の塗布を生ずる請求項１１に記載のプロセス。
【請求項１３】
前記着色剤は、デジタルにエンコードされたパターン形成データに応答して、複数の個々に作動する着色剤塗布器により塗布される請求項１２に記載のプロセス。
【請求項１４】
前記基体は、織物フロアカバーであり、前記織物フロアカバーは、ポリアミドファイバー及びウールファイバーからなる群から選ばれたファイバーを含む請求項１３に記載のプロセス。
【請求項１５】
前記画素に割り当てられた前記色彩は、前記基体表面上の同一の画素に塗布された少なくとも２つの液体着色剤のその場ブレンドにより形成される請求項１２に記載のプロセス。
【請求項１６】
前記画素に割り当てられた前記色彩は、前記基体表面上の隣接する画素に塗布された液体着色剤のその場ブレンドにより形成される請求項１２に記載のプロセス。
【請求項１７】
前記画素に割り当てられた前記色彩は、前記スーパー画素内の第１及び第２の隣接する画素に塗布された液体着色剤のその場ブレンドにより形成され、前記第１の画素に塗布された液体着色剤の容積は、前記第１の画素を過飽和するに十分であり、前記第２の画素に塗布された液体着色剤の容積は、前記第２の画素を十分に飽和するに不十分である請求項１６に記載のプロセス。
【請求項１８】
前記アルゴリズムの適用は、前記スーパー画素を構成するそれぞれの行及び列が所定の色彩の１つのみの画素を有するように、前記スーパー画素内の行及び列における色彩の配置を生ずる請求項１１に記載のプロセス。
【請求項１９】
前記スーパー画素を構成するそれぞれの行及び列が所定の色彩の少なくとも２つの画素を有する請求項１８に記載のプロセス。
【請求項２０】
基体の表面に複製されるべきスーパー画素を構成するプロセスであって、前記スーパー画素は、Ｎ×Ｎアレイの画素を含み、前記画素のそれぞれは、前記所定の色彩が前記アレイの行叉は列において一度だけ見出され、前記所定の色彩に割り当てられたそれぞれの画素は、他の色彩が割り当てられた画素により囲まれるように、所定の色彩をＮ行のそれぞれ及びＮ列のそれぞれの画素に割り当てる配置アルゴリズムに従って、前記スーパー画素内において個々に割り当てられるプロセス。
【請求項２１】
前記基体は吸収性織物基体であり、前記スーパー画素内の画素への色彩の割り当ては、その画素に対応する前記基体上の領域に、少なくとも１つの液体着色剤の塗布を生ずる請求項２０に記載のプロセス。
【請求項２２】
前記着色剤は、デジタルにエンコードされたパターン形成データに応答して、個々に作動する着色剤塗布器アレイの少なくとも１つにより塗布される請求項２１に記載のプロセス。
【請求項２３】
前記基体は、織物フロアカバーであり、前記織物フロアカバーは、ポリアミドファイバー及びウールファイバーからなる群から選ばれたファイバーを含む請求項２１に記載のプロセス。
【請求項２４】
前記画素に割り当てられた前記色彩は、前記基体表面上の同一の画素に塗布された少なくとも２つの液体着色剤のその場ブレンドにより形成される請求項２１に記載のプロセス。
【請求項２５】
前記画素に割り当てられた前記色彩は、前記基体表面上の隣接する画素に塗布された液体着色剤のその場ブレンドにより形成される請求項２０に記載のプロセス。
【請求項２６】
前記画素に割り当てられた前記色彩は、前記スーパー画素内の第１及び第２の隣接する画素に塗布された液体着色剤のその場ブレンドにより形成され、前記第１の画素に塗布された液体着色剤の容積は、前記第１の画素を過飽和するに十分であり、前記第２の画素に塗布された液体着色剤の容積は、前記第２の画素を十分に飽和するに不十分である請求項２０に記載のプロセス。
【請求項２７】
Ｎは少なくとも４であり、前記配置アルゴリズムは、前記所定の色彩が前記アレイの行叉は列において一度だけ見出されるように、所定の色彩をＮ行のそれぞれ及びＮ列のそれぞれにおける画素に割り当てられ、前記所定の色彩に割り当てられたそれぞれの画素は、前記所定の色彩とは異なる色彩に割り当てられた画素に側方に隣接する請求項２０に記載のプロセス。
【請求項２８】
Ｎは少なくとも６であり、前記配置アルゴリズムは、前記所定の色彩が前記アレイの行叉は列において二度だけ見出されるように、所定の色彩をＮ行のそれぞれ及びＮ列のそれぞれにおける画素に割り当てられ、前記所定の色彩に割り当てられたそれぞれの画素は、他の色彩に割り当てられた画素により囲まれている請求項２０に記載のプロセス。
【請求項２９】
ポリアミドファイバー及びウールファイバーからなる群から選ばれたファイバーを含む織物基体であって、前記基体は電子的に規定された指令に応答して、第１の色彩を表す第１の液体着色剤及び第２の色彩を表す第２の液体着色剤の前記基体への画素状の塗布により付与されたパターンを有し、前記パターンは、少なくとも一部は、個々のスーパー画素が行及び列に配置された個々に着色された画素のアレイからなるタイル張りされた形態に配置された複数のスーパー画素により形成され、前記スーパー画素内の前記第１及び第２のそれぞれの画素が、前記アレイを構成するそれぞれの列に表される織物基体。
【請求項３０】
前記パターンは、同一の画素への前記２つの異なる液体着色剤の塗布により付与され、それにより前記液体着色剤のその場ブレンドが形成される請求項２９に記載の生成物。
【請求項３１】
前記パターンは、第１の画素への第１の液体着色剤、及び第２の画素への第２の液体着色剤の塗布により付与され、前記第１の画素及び第２の画素は隣接しており、それにより前記液体着色剤のその場ブレンドが形成される請求項２９に記載の生成物。
【請求項３２】
前記パターンは、第１の画素への第１の液体着色剤、及び第２の画素への第２の液体着色剤の塗布により付与され、前記第１の画素及び第２の画素は隣接しており、それにより前記液体着色剤のその場ブレンドが形成され、前記第１の画素に塗布された液体着色剤の容積は、前記第１の画素を過飽和するに十分であり、前記第２の画素に塗布された液体着色剤の容積は、前記第２の画素を飽和するに不十分である請求項３１に記載の生成物。